(57)【要約】【課題】コネクタの電気的接触を安定させるとともに接触荷重を確保する。【解決手段】コンタクト１０は、接続対象物を電気的に接続するコンタクトにおいて、接続対象物の端子と接触する接触部１１と、接触部１１の水平方向の一方の端部と連結し、鉛直方向に弾性変形可能な第１バネ部１２と、第１バネ部１２と連結し、外部基板３０と接合する第１接合部１４と、接触部１１の水平方向の他方の端部と連結し、鉛直方向に弾性変形可能な第２バネ部１３と、第２バネ部１３と連結し、外部基板３０と接合する第２接合部１５と、を備え、第１バネ部１２と第２バネ部１３は同一形状であり、接触部１１の中心である中心凸部１１Ａに対し上面視で点対称となるよう設けられて構成した。【選択図】図６
2018125172.tif 000002
【特許請求の範囲】
【請求項１】
接続対象物を電気的に接続するコンタクトにおいて、
前記接続対象物の端子と接触する接触部と、
前記接触部の水平方向の一方の端部と連結し、鉛直方向に弾性変形可能な第１バネ部と、
前記第１バネ部と連結し、外部基板と接合する第１接合部と、
前記接触部の水平方向の他方の端部と連結し、鉛直方向に弾性変形可能な第２バネ部と、
前記第２バネ部と連結し、前記外部基板と接合する第２接合部と、を備え、
前記第１バネ部と前記第２バネ部は同一形状であり、前記接触部の中心に対し点対称となるよう設けられていることを特徴とするコンタクト。
【請求項２】
前記第１バネ部および前記第２バネ部は、中途において鉛直平面内で折り返すよう屈曲する屈曲部を少なくとも１つ有することを特徴とする請求項１に記載のコンタクト。
【請求項３】
前記第１バネ部および前記第２バネ部は、中途において水平平面内での方向を変曲する変曲部を少なくとも１つ有することを特徴とする請求項１または請求項２に記載のコンタクト。
【請求項４】
前記第１バネ部および前記第２バネ部は、中途において水平平面に対し傾斜する傾斜片を少なくとも１つ有することを特徴とする請求項１ないし請求項３のいずれか１項に記載のコンタクト。
【請求項５】
請求項１ないし請求項４のいずれか１項に記載のコンタクトとハウジング本体および前記コンタクトを収容する収容空間からなるハウジングとを備えたことを特徴とするコネクタ。
【請求項６】
前記ハウジングは、上面の鉛直方向の高さが前記第１バネ部および前記第２バネ部を構成する複数のバネ片のうち最も高い位置にあるものの鉛直方向の幅の範囲内に収まるよう構成したことを特徴とする請求項５に記載のコネクタ。
【請求項７】
前記ハウジングは、前記ハウジング本体を構成する壁面により囲まれ、鉛直方向上下に開口する開口面を有し、
前記接触部と前記第１バネ部と前記第２バネ部は、上面視で前記開口面内に収まる大きさであることを特徴とする請求項５または請求項６に記載のコネクタ。
【請求項８】
前記第１接合部および前記第２接合部は、下側の前記開口面より前記ハウジング本体に対し水平方向外側に突出する突出片を少なくとも１つ有することを特徴とする請求項５ないし請求項７のいずれか１項に記載のコネクタ。
【発明の詳細な説明】
【技術分野】
【０００１】
本発明は、電気的接触の安定性を考慮したコンタクトおよびコネクタに関する。
【背景技術】
【０００２】
近年、電子機器等の小型化や高機能化に伴い、弾性を備えた接続端子を有する圧接コネクタを一方の基板に設け、他方の基板や部品に設けられた接点部と圧接コネクタとが圧接するように基板同士を配置する構造が増えている。
【０００３】
このような圧接コネクタの構造として、２つのバネ部を上側平板部に対し巻き回し、下側平板部に接続する構造が知られている（例えば、特許文献１参照）。
【０００４】
特許文献１には、図１０に示すように、平板状に延設された上側平板部１ａと、平板状に延設され、上側平板部１ａの下方に配置された下側平板部１ｂと、上側平板部１ａと下側平板部１ｂとを連結する第１バネ部１ｃと、下側平板部１ｂから上方へ延設されるとともに、上側平板部１ａに弾発力を付与する第２バネ部１ｄと、を有する圧接コネクタ１の構成が開示されている。
【先行技術文献】
【特許文献】
【０００５】
【特許文献１】特開２０１６−００１５８３号公報
【発明の概要】
【発明が解決しようとする課題】
【０００６】
しかしながら、特許文献１に記載されたコネクタは、バネの弾性方向に交差する断面において、上側平板部１ａの一片にのみバネが接続され、さらに向かい合うバネ部分は板幅が同一ではないためバネ性が異なる。このため、垂直方向に荷重を掛けると上側平板部１ａは垂直方向に傾いた状態で変位するため、電気的接触が安定しない可能性がある。
【０００７】
また、バネ部が傾きながら変位するためバネ部同士が摺動し、削れによる異物の発生や、バネ部同士が干渉し塑性変形することが懸念される。
【０００８】
本発明はこのような問題を解決するためになされたもので、電気的接触を安定させることができ、かつ、接触荷重を確保することができるコンタクトおよびコンタクトを用いたコネクタを提供することを目的とする。
【課題を解決するための手段】
【０００９】
本発明に係るコンタクトは、上記目的を達成するため、接続対象物を電気的に接続するコンタクトにおいて、前記接続対象物の端子と接触する接触部と、前記接触部の水平方向の一方の端部と連結し、鉛直方向に弾性変形可能な第１バネ部と、前記第１バネ部と連結し、外部基板と接合する第１接合部と、前記接触部の水平方向の他方の端部と連結し、鉛直方向に弾性変形可能な第２バネ部と、前記第２バネ部と連結し、前記外部基板と接合する第２接合部と、を備え、前記第１バネ部と前記第２バネ部は同一形状であり、前記接触部の中心に対し点対称となるよう設けられて構成される。
【００１０】
この構成により、第１バネ部と第２バネ部は同一形状であり、接触部の中心に対し点対称となるよう設けられているため、接触部に対する鉛直方向の荷重を掛けた際に、第１バネ部および第２バネ部が鉛直方向に対して傾くことなく変位する。したがって、接触部における電気的接触を安定させることができる。
【００１１】
上述したコンタクトにおいて、前記第１バネ部および前記第２バネ部は、中途において鉛直平面内で折り返すよう屈曲する屈曲部を少なくとも１つ有するよう構成してもよい。
【００１２】
この構成により、第１バネ部と第２バネ部は中途において鉛直平面内で折り返すよう屈曲する屈曲部を有するので、ストロークを長くし、電気的接触を安定させるための充分な接触荷重を確保することができる。
【００１３】
上述したコンタクトにおいて、前記第１バネ部および前記第２バネ部は、中途において水平平面内での方向を変曲する変曲部を少なくとも１つ有するよう構成してもよい。
【００１４】
この構成により、第１バネ部と第２バネ部は中途において水平平面内での方向を変曲する変曲部を有するので、コンタクトの鉛直方向高さを抑え、小型化および省スペース化を実現することができる。
【００１５】
上述したコンタクトにおいて、前記第１バネ部および前記第２バネ部は、中途において水平平面に対し傾斜する傾斜片を少なくとも１つ有するよう構成してもよい。
【００１６】
この構成により、第１バネ部と第２バネ部は中途において水平平面に対し傾斜する傾斜片を有するので、鉛直方向に弾性変形する際に上方または下方のハウジング壁部や外部基板等との干渉を避けることができる。
【００１７】
本発明に係るコネクタは、上述したコンタクトとハウジング本体および前記コンタクトを収容する収容空間からなるハウジングとを備えるよう構成される。
【００１８】
この構成により、コンタクトがハウジングの収容空間に収容されるため、コンタクトの外部との干渉等を回避することができ、コネクタの耐久性を向上させることができる。
【００１９】
上述したコネクタにおいて、前記ハウジングは、上面の鉛直方向の高さが前記第１バネ部および前記第２バネ部を構成する複数のバネ片のうち最も高い位置にあるものの鉛直方向の幅の範囲内に収まるよう構成してもよい。
【００２０】
この構成により、ハウジングの上面と第１バネ部および第２バネ部のバネ片のうち最も高い位置にあるものの高さ位置がオーバーラップしているので、コンタクトが圧縮される際にハウジングの上面にコンタクトが乗り上げてしまい、コンタクトが変形することを防止することができる。
【００２１】
上述したコネクタにおいて、前記ハウジングは、前記ハウジング本体を構成する壁面により囲まれ、鉛直方向上下に開口する開口面を有し、前記接触部と前記第１バネ部と前記第２バネ部は、上面視で前記開口面内に収まる大きさであるよう構成してもよい。
【００２２】
この構成により、コンタクトが上面視でハウジングの開口面内に収まるよう構成されているので、コンタクトが鉛直方向に弾性変形する際にハウジングとの干渉を回避することができ、コネクタの耐久性を向上させることができる。
【００２３】
上述したコネクタにおいて、前記第１接合部および前記第２接合部は、下側の前記開口面より前記ハウジング本体に対し水平方向外側に突出する突出片を少なくとも１つ有するよう構成してもよい。
【００２４】
この構成により、第１接合部および第２接合部を外部基板に半田付けする際の接合部分の面積を大きくすることができるので、コネクタと外部基板との接合強度を向上させることができる。
【発明の効果】
【００２５】
本発明によれば、コンタクトおよびコンタクトの電気的接触を安定させることができ、かつ、接触荷重を確保することができる。
【図面の簡単な説明】
【００２６】
【図１】本発明の実施の形態に係るコネクタを示す斜視図であり、図１（ａ）は斜め上方から視た斜視図であり、図１（ｂ）は下方から視た斜視図である。
【図２】本発明の実施の形態に係るコネクタを示す図であり、図２（ａ）はｚ方向から視たコネクタを示す上面図であり、図２（ｂ）はｙ方向から視たコネクタを示す側面図である。
【図３】本発明の実施の形態に係るコネクタを示す断面図であり、図３（ａ）は図２（ａ）におけるＡ−Ａ断面を示す断面図、図３（ｂ）はＢ−Ｂ断面を示す断面図である。
【図４】本発明の実施の形態に係るコネクタを外部基板に実装した状態を示す斜視図である。
【図５】本発明の実施の形態に係るコンタクトを示す斜視図であり、図５（ａ）は斜め上方から視た斜視図であり、図５（ｂ）は下方から視た斜視図である。
【図６】本発明の実施の形態に係るコンタクトを示す図であり、図６（ａ）はｚ方向から視たコンタクトを示す上面図であり、図６（ｂ）はｙ方向から視たコンタクトを示す側面図である。
【図７】本発明の実施の形態に係るコンタクトを示す断面図であり、図７（ａ）は図６（ａ）におけるＡ−Ａ断面を示す断面図、図７（ｂ）はＢ−Ｂ断面を示す断面図である。
【図８】本発明の実施の形態に係るハウジングを示す斜視図であり、図８（ａ）は斜め上方から視た斜視図であり、図８（ｂ）は下方から視た斜視図である。
【図９】本実施の形態に係るコンタクトをｚ方向に変位させた状態を示す側面図である。
【図１０】従来のコネクタを示す断面図である。
【発明を実施するための形態】
【００２７】
以下、本実施の形態に係るコネクタ１について図１〜図４を参照して説明する。
【００２８】
図１（ａ）は、コンタクト１０をハウジング２０で収容した状態のコネクタ１の斜め上方から視た斜視図であり、図１（ｂ）は斜め下方から視た斜視図である。図１（ａ）に示すように、コネクタ１はコンタクト１０とハウジング２０とを備え、ハウジング２０の収容空間Ｓにコンタクト１０が収容されている。図１（ｂ）に示すように、コンタクト１０の第１係合片１４Ｃおよび第２係合片１５Ｃがハウジング２０の係合孔２３と係合することでコンタクト１０とハウジング２０との位置関係が保持されている。
【００２９】
図１（ａ）中のｘ軸とｙ軸がなす平面を以下では水平平面ともいう。また、ｚ軸方向を鉛直方向、垂直方向、上下方向ともいう。以下の図でも同様である。
【００３０】
図２（ａ）は、コネクタ１の上面図であり、図２（ｂ）はｙ方向から視た側面図である。コンタクト１０は接触部１１において接続対象物と接触し、接続対象物を電気的に接続させる。ここでいう接続対象物とは、相手方の基板の端子等である。接触部１１は接続対象物に押圧されていない状態で、ハウジング２０の上側開口面２１Ａより上側に位置している。
【００３１】
図２（ａ）、図２（ｂ）に示すように、第１接合部１４と第２接合部１５は、ハウジング２０の外壁面２０Ａに対し水平方向外側に突出する第１突出片１４Ａ、１４Ｂおよび第２突出片１５Ａ、１５Ｂとを有している。コンタクト１０において、第１接合部１４および第２接合部１５は、外部基板３０と半田付けにより接合される。このように第１接合部１４および第２接合部１５は、外部基板３０との接合面積を大きめにとっているため接合強度を大きくすることができる。
【００３２】
図３（ａ）、図３（ｂ）はそれぞれ図２（ａ）中におけるＡ−Ａ断面およびＢ−Ｂ断面を示す断面図である。第１バネ部１２と第２バネ部１３はハウジング２０の収容空間Ｓ内に収まっている。また、接触部１１は接続対象物に押圧されていない状態で、上面視で上側開口面２１Ａ内に収まる大きさである。すなわち、接触部１１は鉛直方向に押圧されて鉛直方向に弾性変形してもハウジング２０の上面２０Ｂや内壁面２０Ｄと干渉することがない。
【００３３】
また、第２バネ部１３を構成するバネ片のうち最も高い位置にあるバネ片１３Ａの鉛直方向の幅の範囲内に収まるようになっている（図示しないがバネ片１２Ａも同様）。仮にバネ片１３Ａおよびバネ片１２Ａがハウジングの上面２０Ｂよりも高い位置にある場合、コンタクト１０に斜め方向の荷重がかかると、コンタクト１０が圧縮される過程で上面２０Ｂにバネ片１３Ａおよびバネ片１２Ａが乗り上げる可能性がある。上述の構成とすることでコンタクトが圧縮される際にハウジングの上面にコンタクトが乗り上げてしまい、コンタクトが変形することを防止することができる。
【００３４】
図４は、コネクタ１を外部基板３０に実装した状態を示す斜視図である。後述する第１接合部１４および第２接合部１５を外部基板３０に対し半田付けすることによりコネクタ１は外部基板３０に実装されている。
【００３５】
次に図５〜図７を用いてコンタクト１０についてより詳細に説明する。
【００３６】
図５（ａ）はコンタクト１０を斜め上方から視た斜視図であり、５（ｂ）は斜め下方から視た斜視図である。図５（ａ）、（ｂ）に示すように、接触部１１と第１バネ部１２と第２バネ部１３と第１接合部１４と第２接合部１５とを備えている。
【００３７】
接触部１１は、接続対象物である相手方基板の端子と接触し、接続対象物と電気的に接続する。接触部１１の中央部には円形の中心凸部１１Ａが設けられており、接続対象物により鉛直方向下方に押圧される。接触部１１は図５（ａ）中のｘ方向の両側で下方に屈曲し、一方の側で第１バネ部１２と、他方の側で第２バネ部１３と連結している。
【００３８】
図６（ａ）は、コンタクト１０の上面図であり、図６（ｂ）はコンタクト１０のｙ方向から視た側面図である。また、図７（ａ）は、図６（ａ）におけるコンタクト１０のＡ−Ａ断面図であり、図７（ｂ）はＢ−Ｂ断面図である。
【００３９】
第１バネ部１２は、バネ片１２Ａ、１２Ｂ、１２Ｃ、１２Ｄにより構成されており、鉛直方向であるｚ方向に弾性変形可能となっている。
【００４０】
バネ片１２Ａは、接触部１１と直接連結しており、ハウジング２０の内壁面２０Ｄに沿ってｙ方向に略水平に延在している。
【００４１】
バネ片１２Ｂは、バネ片１２Ａと連結しており、ハウジング２０の内壁面２０Ｄに沿ってｘ方向に延在している。バネ片１２Ｂは、バネ片１２Ａと連結する変曲点Ｐ１において水平平面、すなわちｘｙ平面内での方向を約９０°変曲させている。第１バネ部１２が変曲点Ｐ１を有することでコンタクト１０の鉛直方向高さを抑え、小型化および省スペース化を図っている。バネ片１２Ｂは図６（ｂ）に示すように両端は略水平であるが中途において水平平面に対し傾斜するようになっている。バネ片１２Ｂは、本発明に係る傾斜片を構成する。
【００４２】
バネ片１２Ｃは、バネ片１２Ｂと連結しており、ハウジング２０の内壁面２０Ｄに沿ってｘ方向に略水平に延在している。バネ片１２Ｃは、バネ片１２Ｂと連結する屈曲点Ｑ１において鉛直平面、すなわちｘｚ平面内での方向を約１８０°屈曲させている。第１バネ部１２が屈曲点Ｑ１を有することでコンタクト１０のストロークを長くし、電気的接触を安定させるための充分な接触荷重を確保することができる。
【００４３】
バネ片１２Ｄは、バネ片１２Ｃと連結しており、ハウジング２０の内壁面２０Ｄに沿ってｙ方向に延在している。バネ片１２Ｄは、バネ片１２Ｃと連結する変曲点Ｐ２において水平平面、すなわちｘｙ平面内での方向を約９０°変曲させている。第１バネ部１２が変曲点Ｐ２を有することでコンタクト１０の鉛直方向高さを抑え、小型化および省スペース化を図っている。バネ片１２Ｄは図５（ａ）に示すように両端は略水平であるが中途において水平平面に対し傾斜するようになっている。バネ片１２Ｄは、本発明に係る傾斜片を構成する。
【００４４】
第１バネ部１２は、中途において水平平面に対し傾斜するバネ片１２Ｂ、バネ片１２Ｄとを有しているので、接触部１１に接触荷重がかかり、コンタクト１０が垂直方向に弾性変形する際に上方または下方のハウジング２０の壁部や外部基板３０等との干渉を避けることができる。
【００４５】
第１接合部１４は、バネ片１２Ｄと連結し、外部基板３０と接合する。第１接合部１４は、第１突出片１４Ａ、１４Ｂおよび第１係合片１４Ｃを有している。
【００４６】
第１突出片１４Ａは、バネ片１２Ｄと連結しており、コンタクト１０をハウジング２０に対し組み付けた状態で図１（ａ）に示すように下側開口面２１Ｂよりハウジング２０本体に対し水平方向外側に突出している。第１突出片１４Ａは平板状に広がっており、外部基板３０に半田付けする際の接合面積を大きくとることができる。
【００４７】
第１突出片１４Ｂも同様に、ハウジング２０本体に対し水平方向外側に突出しており、平板状に広がっている。
【００４８】
第１係合片１４Ｃは、第１突出片１４Ａと第１突出片１４Ｂの間に位置しており垂直方向上方に立上っている。第１係合片１４Ｃは、図１（ｂ）、図３（ａ）に示すように係合孔２３と係合することでコンタクト１０をハウジング２０に対し組み付けた状態とするようになっている。
【００４９】
第２バネ部１３は、バネ片１３Ａ、１３Ｂ、１３Ｃ、１３Ｄにより構成されており、鉛直方向であるｚ方向に弾性変形可能となっている。
【００５０】
バネ片１３Ａは、接触部１１と直接連結しており、ハウジング２０の内壁面２０Ｄに沿ってｙ方向に略水平に延在している。
【００５１】
バネ片１３Ｂは、バネ片１３Ａと連結しており、ハウジング２０の内壁面２０Ｄに沿ってｘ方向に延在している。バネ片１３Ｂは、バネ片１３Ａと連結する変曲点Ｐ３において水平平面、すなわちｘｙ平面内での方向を約９０°変曲させている。第２バネ部１３が変曲点Ｐ３を有することでコンタクト１０の鉛直方向高さを抑え、小型化および省スペース化を図っている。バネ片１３Ｂは図７（ａ）に示すように両端は略水平であるが中途において水平平面に対し傾斜するようになっている。バネ片１３Ｂは、本発明に係る傾斜片を構成する。
【００５２】
バネ片１３Ｃは、バネ片１３Ｂと連結しており、ハウジング２０の内壁面２０Ｄに沿ってｘ方向に略水平に延在している。バネ片１３Ｃは、バネ片１３Ｂと連結する屈曲点Ｑ２において鉛直平面、すなわちｘｚ平面内での方向を約１８０°屈曲させている。第２バネ部１３が屈曲点Ｑ２を有することでコンタクト１０のストロークを長くし、電気的接触を安定させるための充分な接触荷重を確保することができる。
【００５３】
バネ片１３Ｄは、バネ片１３Ｃと連結しており、ハウジング２０の内壁面２０Ｄに沿ってｙ方向に延在している。バネ片１３Ｄは、バネ片１３Ｃと連結する変曲点Ｐ４において水平平面、すなわちｘｙ平面内での方向を約９０°変曲させている。第２バネ部１３が変曲点Ｐ４を有することでコンタクト１０の鉛直方向高さを抑え、小型化および省スペース化を図っている。バネ片１３Ｄは図７（ｂ）に示すように両端は略水平であるが中途において水平平面に対し傾斜するようになっている。バネ片１３Ｄは、本発明に係る傾斜片を構成する。
【００５４】
第２バネ部１３は、中途において水平平面に対し傾斜するバネ片１３Ｂ、バネ片１３Ｄを有しているので、接触部１１に接触荷重がかかり、コンタクト１０が垂直方向に弾性変形する際に上方または下方のハウジング２０の壁部や外部基板３０等との干渉を避けることができる。
【００５５】
第２接合部１５は、バネ片１３Ｄと連結し、外部基板３０と接合する。第２接合部１５は、第２突出片１５Ａ、１５Ｂおよび第２係合片１５Ｃを有している。
【００５６】
第２突出片１５Ａは、バネ片１３Ｄと連結しており、コンタクト１０をハウジング２０に対し組み付けた状態で図１（ａ）に示すように下側開口面２１Ｂよりハウジング２０本体に対し水平方向外側に突出している。第２突出片１５Ａは平板状に広がっており、外部基板３０に半田付けする際の接合面積を大きくとることができる。
【００５７】
第２突出片１５Ｂも同様に、ハウジング２０本体に対し水平方向外側に突出しており、平板状に広がっている。
【００５８】
第２係合片１５Ｃは、第２突出片１５Ａと第２突出片１５Ｂの間に位置しており垂直方向上方に立上っている。第２係合片１５Ｃは、図１（ｂ）、図３（ａ）に示すように係合孔２３と係合することでコンタクト１０をハウジング２０に対し組み付けた状態とするようになっている。
【００５９】
第１バネ部１２と第２バネ部１３は同一形状であり、接触部１１の中心である中心凸部１１Ａに対し、図６（ａ）に示すように上面視で点対称となるよう設けられている。コンタクト１０は、第１バネ部１２と第２バネ部１３の２つのバネを備えているので、充分な接触荷重を確保することができる。
【００６０】
また、第１バネ部１２と第２バネ部１３を中心凸部１１Ａに対し、点対称となるよう設けたので、接触部１１が上方より押圧される際のコンタクト１０の姿勢が安定する。したがって、バネ部同士が摺動し、削れによる異物の発生や、バネ部同士が干渉し塑性変形することを防ぐことができる。仮に、第１バネ部１２と第２バネ部１３を中心凸部１１Ａに対し、線対称となるよう設けた場合、接触部１１が押圧されるとコンタクト１０が垂直方向に対し傾くおそれがある。
【００６１】
図８（ａ）は、ハウジング２０を斜め上方から視た斜視図であり、図８（ｂ）は斜め下方から視た斜視図である。
【００６２】
ハウジング２０は、外壁面２０Ａ、上面２０Ｂ、下面２０Ｃ、内壁面２０Ｄ、脚部２０Ｅおよび外壁凸部２２と収容空間Ｓで構成されている。ハウジング本体は、外側の外壁面２０Ａ、上側の上面２０Ｂ、下側の下面２０Ｃ、内側の内壁面２０Ｄで構成されており樹脂製である。収容空間Ｓは、ハウジング２０の内壁面２０Ｄに囲まれ、上面２０Ｂから下面２０Ｃまでハウジング２０を貫通している。収容空間Ｓの上側に開口する面は上側開口面２１Ａであり、下側に開口する面は下側開口面２１Ｂである。脚部２０Ｅは、下面２０Ｃのｙ方向の両端部に設けられており、ハウジング２０を支えている。
【００６３】
コンタクト１０をハウジング２０で収容することにより、コンタクト１０の外部との干渉等を回避することができ、コネクタ１の耐久性を向上させることができる。
【００６４】
図２に示すように、接触部１１と第１バネ部１２と第２バネ部１３は、上面視で上側開口部２１Ａと下側開口部２１Ｂの開口面内に収まる大きさとなっている。このような構成としたのは、コンタクト１０が鉛直方向に弾性変形する際にハウジング２０との干渉を回避するためである。
【００６５】
外壁凸部２２は、外壁面２０Ａのうちｙ方向に平行な対向する２つの面の外部に設けられている。外壁凸部２２の内側には上下に貫通する係合孔２３が設けられている。係合孔２３は、ハウジング２０とコンタクト１０とが係合する際に、第１係合片１４Ｃと第２係合片１５Ｃと係合させるための孔である。
【００６６】
コンタクト１０の動作について説明する。図９は、接触部１１を押圧して第１バネ部１２および第２バネ部１３を鉛直方向に変位させた状態を示している。
【００６７】
前述したように第１バネ部１２と第２バネ部１３は同一形状であり、接触部１１の中心凸部１１Ａに対し点対称となるよう設けられているので、鉛直方向の力に対して第１バネ部１２および第２バネ部１３が傾くことなく変位している。これにより電気的接触を安定させることができる。
【００６８】
また、バネ片１２Ｂ、バネ片１３Ｂが中途で水平平面に対し傾斜しているので、第１バネ部１２および第２バネ部１３が鉛直方向に変位してもハウジング２０等と接触し干渉することがない。図示しないが、バネ片１２Ｄ、バネ片１３Ｄについても同様である。このような傾斜を設けたのは、仮に第１バネ部１２および第２バネ部１３の中途に傾斜を設けずに、例えばコの字状に変曲する形状とした場合、バネ部を変位させた場合に周囲と干渉しやすくなってしまうためである。
【００６９】
以上のように、本実施の形態に係るコンタクト１０は、接続対象物を電気的に接続するコンタクトにおいて、接続対象物の端子と接触する接触部１１と、接触部１１の水平方向の一方の端部と連結し、鉛直方向に弾性変形可能な第１バネ部１２と、第１バネ部１２と連結し、外部基板３０と接合する第１接合部１４と、接触部１１の水平方向の他方の端部と連結し、鉛直方向に弾性変形可能な第２バネ部１３と、第２バネ部１３と連結し、外部基板３０と接合する第２接合部１５と、を備え、第１バネ部１２と第２バネ部１３は同一形状であり、接触部１１の中心である中心凸部１１Ａに対し上面視で点対称となるよう設けられて構成される。
【００７０】
この構成により、第１バネ部１２と第２バネ部１３は同一形状であり、接触部１１の中心である中心凸部１１Ａに対し点対称となるよう設けられているため、接触部１１に対する鉛直方向の荷重を掛けた際に、第１バネ部１２および第２バネ部１３が鉛直方向に対して傾くことなく変位する。したがって、接触部１１における電気的接触を安定させることができる。また、第１バネ部１２と第２バネ部１３が傾きながら変位するため第１バネ部１２と第２バネ部１３が摺動し、削れによる異物の発生や、バネ部同士が干渉し塑性変形することを防ぐことができる。
【００７１】
また、コンタクト１０は、第１バネ部１２および第２バネ部１３は、中途において鉛直平面内で折り返すよう屈曲する屈曲部Ｑ１および屈曲部Ｑ２を有する。
【００７２】
この構成により、第１バネ部１２と第２バネ部１３は中途において鉛直平面内で折り返すよう屈曲する屈曲部Ｑ１および屈曲部Ｑ２を有するので、バネのストロークを長くし、電気的接触を安定させるための充分な接触荷重を確保することができる。
【００７３】
また、コンタクト１０は、第１バネ部１２および第２バネ部１３は、中途において水平平面内での方向を変曲する変曲部Ｐ１、変曲部Ｐ２、変曲部Ｐ３、変曲部Ｐ４を有する。
【００７４】
この構成により、第１バネ部１２と第２バネ部１３は中途において水平平面内での方向を変曲する変曲部Ｐ１、変曲部Ｐ２、変曲部Ｐ３、変曲部Ｐ４を有するので、コンタクト１０の鉛直方向高さを抑え、小型化および省スペース化を実現することができる。
【００７５】
また、コンタクト１０は、第１バネ部１２および第２バネ部１３は、中途において水平平面に対し傾斜するバネ片１２Ｂ、バネ片１２Ｄ、バネ片１３Ｂ、バネ片１３Ｄを有する。
【００７６】
この構成により、第１バネ部１２と第２バネ部１３は中途において水平平面に対し傾斜するバネ片１２Ｂ、バネ片１２Ｄ、バネ片１３Ｂ、バネ片１３Ｄを有するので、鉛直方向に弾性変形する際に上方または下方のハウジング２０や外部基板３０等との干渉を避けることができる。
【００７７】
本実施の形態に係るコネクタ１は、コンタクト１０と外壁面２０Ａ、上側の上面２０Ｂ、下側の下面２０Ｃ、内側の内壁面２０Ｄで構成されるハウジング本体およびコンタクト１０を収容する収容空間Ｓからなるハウジング２０を備える。
【００７８】
この構成により、コンタクト１０がハウジング２０の収容空間Ｓに収容されるため、コンタクト１０の外部との干渉等を回避することができ、コネクタ１の耐久性を向上させることができる。
【００７９】
また、コネクタ１において、ハウジング２０は、上面２０Ｂの鉛直方向の高さが第１バネ部１２および第２バネ部１３を構成する複数のバネ片のうち最も高い位置にあるバネ片１２Ａおよびバネ片１３Ａの鉛直方向の幅の範囲内に収まるよう構成している。
【００８０】
この構成により、ハウジング２０の上面と第１バネ部１２および第２バネ部１３のバネ片のうち最も高い位置にあるバネ片１２Ａおよびバネ片１３Ａの高さ位置がオーバーラップしているので、コンタクト１０が圧縮される際にハウジング２０の上面２０Ｂにコンタクト１０が乗り上げてしまい、コンタクト１０が変形することを防止することができる。
【００８１】
また、コネクタ１において、ハウジング２０は、ハウジング本体を構成する外壁面２０Ａ、上側の上面２０Ｂ、下側の下面２０Ｃ、内側の内壁面２０Ｄにより囲まれ、鉛直方向上下に開口する上側開口面２１Ａと下側開口面２１Ｂを有し、接触部１１と第１バネ部１２と第２バネ部１３は、上面視で上側開口面２１Ａ（または、下側開口面２１Ｂ）内に収まる大きさであるよう構成している。
【００８２】
この構成により、コンタクト１０が上面視でハウジング２０の上側開口面２１Ａ（または、下側開口面２１Ｂ）内に収まるよう構成されているので、コンタクト１０が鉛直方向に弾性変形する際にハウジング２０との干渉を回避することができ、コネクタ１の耐久性を向上させることができる。
【００８３】
また、コネクタ１において、第１接合部１４および第２接合部１５は、下側開口面２１Ｂよりハウジング本体に対し水平方向外側に突出する第１突出片１４Ａ、１４Ｂと第２突出片１５Ａ、１５Ｂを有する。
【００８４】
この構成により、第１接合部１４および第２接合部１５を外部基板３０に半田付けする際の接合部分の面積を大きくすることができるので、コネクタ１と外部基板３０との接合強度を向上させることができる。
【００８５】
以上説明したように、本発明に係るコンタクトおよびコネクタは、電気的接触を安定させることができ、かつ、接触荷重を確保することができるという効果を有し、コンタクトおよびコネクタ全般に有用である。
【符号の説明】
【００８６】
１  コネクタ
１０  コンタクト
１１  接触部
１１Ａ  中心凸部
１２  第１バネ部
１２Ａ、１２Ｂ、１２Ｃ、１２Ｄ  バネ片（傾斜片）
１３  第２バネ部
１３Ａ、１３Ｂ、１３Ｃ、１３Ｄ  バネ片（傾斜片）
１４  第１接合部
１４Ａ、１４Ｂ  第１突出片（突出片）
１４Ｃ  第１係合片
１５  第２接合部
１５Ａ、１５Ｂ  第２突出片（突出片）
１５Ｃ  第２係合片
２０  ハウジング
２０Ａ  外壁面（ハウジング本体）
２０Ｂ  上面（ハウジング本体）
２０Ｃ  下面（ハウジング本体）
２０Ｄ  内壁面（ハウジング本体）
２０Ｅ  脚部
２１Ａ  上側開口面（開口面）
２１Ｂ  下側開口面（開口面）
３０  外部基板
Ｐ１、Ｐ２、Ｐ３、Ｐ４  変曲部
Ｑ１、Ｑ２  屈曲部
Ｓ  収容空間
【図１】
2018125172.tif 000003
【図２】
2018125172.tif 000004
【図３】
2018125172.tif 000005
【図４】
2018125172.tif 000006
【図５】
2018125172.tif 000007
【図６】
2018125172.tif 000008
【図７】
2018125172.tif 000009
【図８】
2018125172.tif 000010
【図９】
2018125172.tif 000011
【図１０】
2018125172.tif 000012